(57)【要約】【課題】  摩擦粉や回転リングの表面凹凸などが存在していても、ブラシと回転リングの接触部における接触電気抵抗の増大を抑制することができるスリップリング装置を得ることを目的とする。【解決手段】  平板ブラシ１が可撓性のある導電部材で構成されるとともに、回転リング３の回転軸方向に複数並べられ、複数の平板ブラシ１が回転リング３を圧接するように、ブラシホルダー２が複数の平板ブラシ１を保持するように構成した。これにより、摩擦粉やリング表面が摩擦することによる回転リングの表面凹凸などが存在していても、いくつかの平板ブラシ１が回転リング３に接触することで導電を確保する確率が向上する。【選択図】        図１
2005228522.tif 000002
【特許請求の範囲】
【請求項１】
導電部材からなる回転リングと、上記回転リングが回転しているとき上記回転リングとの接触を維持して、上記回転リングと電気的に結合するブラシとを備えたスリップリング装置において、上記ブラシが可撓性のある導電部材で構成されるとともに、上記回転リングの回転軸方向に複数並べられ、上記複数のブラシが上記回転リングを圧接するようにブラシホルダーによって保持されていることを特徴とするスリップリング装置。
【請求項２】
断面形状が矩形の平板を用いてブラシが構成され、その平板の一面が回転リングを圧接するようにブラシホルダーによって保持されていることを特徴とする請求項１記載のスリップリング装置。
【請求項３】
断面形状が矩形であり、かつ、平面形状が櫛形である複数の平板の櫛部が交互に入り込むように配置され、複数の櫛部がブラシとして使用されることを特徴とする請求項１記載のスリップリング装置。
【請求項４】
複数の平板の櫛部の先端が同一方向を向くように配置されていることを特徴とする請求項３記載のスリップリング装置。
【請求項５】
複数の平板の櫛部の先端が逆方向を向くように対向配置されていることを特徴とする請求項３記載のスリップリング装置。
【請求項６】
ブラシを構成する平板が複数段積層されていることを特徴とする請求項２から請求項５のうちのいずれか１項記載のスリップリング装置。
【請求項７】
ブラシを構成する平板の面うち、回転リングと接触しない側の面に、その平板より導電性が高い補助平板が積層されていることを特徴とする請求項２から請求項５のうちのいずれか１項記載のスリップリング装置。
【請求項８】
ブラシを構成する平板の面うち、回転リングと接触する側の面のエッジが面取りされていることを特徴とする請求項２から請求項７のうちのいずれか１項記載のスリップリング装置。
【請求項９】
回転リングの回転軸方向に並べられている複数のブラシの組が上記回転リングの円周方向に複数配置され、全ブラシが電気的に並列に接続されていることを特徴とする請求項１から請求項８のうちのいずれか１項記載のスリップリング装置。
【発明の詳細な説明】
【技術分野】
【０００１】
この発明は、例えば、人工衛星に搭載される回転体に取り付けられ、回転側と固定側の電気的結合に用いられるスリップリング装置に関するものである。
【背景技術】
【０００２】
スリップリング装置は、回転軸と固定側の電気的結合に用いられるが、その基本的な構造は次の通りである。
まず、回転体の回転軸には、導電体材からなる回転リングと絶縁体とが交互に積み重ねられている。一方、回転体の固定側には、その回転軸からある距離をおいて、導電体材からなるブラシホルダーが回転軸方向に積層状に配置され、そのブラシホルダーによってブラシがリングに接触するように固定されている。
【０００３】
上記のようなスリップリング装置の場合、設置スペースを小さくするためには、一リング／ブラシ当たりの軸方向の幅寸法を小さくすることが望まれる。
しかし、軸方向の幅寸法を小さくすると、スリップリング装置の電気抵抗から発生する熱が問題になる。
即ち、スリップリング装置のブラシや回転リングには電気抵抗が存在し、また、そのブラシと回転リングの接触部にも電気抵抗が存在する。
これらの電気抵抗のうち、比較的サイズの小さいブラシの電気抵抗(以下、ブラシ抵抗という)と、そのブラシと回転リングの接触部における電気抵抗（以下、接触電気抵抗という）は、その回転リングの電気抵抗と比べて大きい。
【０００４】
このため、スリップリング装置に電流を流すと、電気抵抗が大きいブラシから発熱を生じ、また、ブラシとリングの接触部から発熱を生じる。このような発熱を生じると、ブラシが高温軟化して熱変形を生じるなどの問題が発生する。また、ブラシと回転リングの接触部の温度上昇により摩耗増大が生じるなどの問題が発生する。
【０００５】
従来のスリップリング装置は、上記のような問題を解決するため、回転リングに接触して摺動する摺動ブラシを断面矩形状の板で構成し、その摺動ブラシの幅を厚みより大きい形状にしている。
また、この摺動ブラシは、一つの回転リングに２つ設けられ、バネを介して回転リングに押さえ付けられている。
これにより、従来のスリップリング装置では、摺動ブラシの断面積が拡大されるため、ブラシ抵抗が低減している。また、摺動ブラシの厚みよりも幅を大きくしているため、回転リングの回転軸方向の幅を拡大することなく、回転リングを小型にすることが可能になっている（例えば、特許文献１参照）。
【０００６】
【特許文献１】特開平８−１９１５５７号公報（第３頁から第４頁、図１）
【発明の開示】
【発明が解決しようとする課題】
【０００７】
従来のスリップリング装置は以上のように構成されているので、回転リングの回転に伴って、摺動ブラシと回転リングの接触部における接触電気抵抗が増大して、大きな発熱を生じることがあるなどの課題があった。
即ち、摺動ブラシと回転リングが回転摺動することにより、両者から摩耗粉が発生し、この摩耗粉が摺動ブラシと回転リングの間に介在することがある。このような状況下では、回転リングが摺動ブラシから離れ、実質的な電気通路が摩耗粉部分となり、導電部面積が狭くなるため、接触電気抵抗の増加が発生する。また、上記の摩耗粉以外にも周囲の微小なコンタミや回転中にリング表面が磨耗することによって生じるリング表面の微小な凹凸の影響リング表面が磨耗することによる回転リングの表面凹凸などによっても上記と同様の理由により、接触電気抵抗の増大が発生する。
【０００８】
この発明は上記のような課題を解決するためになされたもので、摩擦粉や回転リングの表面凹凸などが存在していても、ブラシと回転リングの接触部における接触電気抵抗の増大を抑制することができるスリップリング装置を得ることを目的とする。
【課題を解決するための手段】
【０００９】
この発明に係るスリップリング装置は、ブラシが可撓性のある導電部材で構成されるとともに、回転リングの回転軸方向に複数並べられ、複数のブラシが回転リングを圧接するようにブラシホルダーによって保持されているものである。
【発明の効果】
【００１０】
この発明によれば、ブラシが可撓性のある導電部材で構成されるとともに、回転リングの回転軸方向に複数並べられ、複数のブラシが回転リングを圧接するように、ブラシホルダーが複数のブラシを保持するように構成したので、摩擦粉や回転リングの表面凹凸などが存在していても、ブラシと回転リングの接触部における回転中の接触電気抵抗の増大を抑制することができる効果がある。
【発明を実施するための最良の形態】
【００１１】
実施の形態１．
図１はこの発明の実施の形態１によるスリップリング装置を示す斜視図であり、図において、断面形状が矩形で可撓性のある平板ブラシ１は回転リング３が回転しているとき、回転リング３との接触を維持して、回転リング３と電気的に結合するものであり、平板ブラシ１は回転リング３の回転軸ＡＡ’方向に互いに側面を接するように３枚並べられ、導電性部材からなるブラシホルダー２に保持されている。また、平板ブラシ１は自身が撓むことにより、回転リング３に対して所定の圧接力で接触するように固定されている。
【００１２】
ブラシホルダー２は固定フレーム５に電気的に絶縁された状態で固定され、平板ブラシ１が回転リング３を圧接するように、平板ブラシ１を保持している。
回転リング３は導電性部材から構成されており、複数段の回転リング３を設けた場合に隣り合う回転リング３間の電気的絶縁を確保するため、回転軸ＡＡ’方向の両端面には絶縁スペーサ４が設けられている。
なお、ブラシホルダー２と回転リング３には導線（図示せず）が接続されており、それらの導線の片端は固定側、回転側の所定の電気接点に接続されている。
【００１３】
次に動作について説明する。
まず、回転リング３は、図示していない外部機器の作用により、回転軸ＡＡ’周りに回転が与えられる。
この際、平板ブラシ１は、回転リング３を圧接するように、ブラシホルダー２によって保持されているので、回転リング３の回転時においても、回転リング３との接触を維持し、回転リング３との電気的な結合状態を継続する。
【００１４】
ここで、平板ブラシ１は、電気伝導性が良好な部材を用いて構成される。例えば、銅やアルミ、あるいは、それらを基材とする合金、もしくは、金、銀、プラチナなどの貴金属を含む合金が部材として用いられる。
特に、Ｃｕ系合金のＢｅＣｕ（ベリリウム銅）は、種々の導電性材料のなかで、可撓性や耐食性、電気伝導度が良好であり、平板ブラシ１の適材である。さらに好ましくは、比較的安価な銅合金を母材とし、その表面に金メッキを施すようにする。金メッキを施すことにより、隣り合う平板ブラシ１同士の接触部の摩擦を低減するとともに、側面の固着を防止することができる。
【００１５】
平板ブラシ１の長さｌ、１枚の幅ｗ、厚さｔは、次のようにして決定される。
まず、平板ブラシ１の長さｌは、ブラシホルダー２が回転リング３や絶縁スペーサ４などの周辺の構成部材に干渉しない位置に固定可能な長さを有するようにする。
平板ブラシ１の幅ｗは、回転リング３の幅Ｗの方向（回転軸ＡＡ’方向）に、少なくとも２枚以上並べることが可能な幅とする（図１の例では、３枚並べている）。望ましくは、５枚以上並べることが可能な幅ｗとする。具体的には、平板ブラシ１の幅ｗは０．２〜０．３ｍｍ程度が望ましい。
【００１６】
平板ブラシ１の厚さｔは、所定のブラシ抵抗値が得られるように決定される。即ち、所望の平板ブラシ１の抵抗値がＲ１Ωである場合、平板ブラシ１の厚さｔは下記の式（１）から決められる。
ｔ＝Ｒ１／（ρ×ｎ×ｌ／ｗ）                                          （１）
式（１）において、ρは平板ブラシ１の材質の比抵抗であり、ｎは並べられている平板ブラシ１の個数である。
【００１７】
次に、回転リング３は、平板ブラシ１を構成できる材質を用いて構成すればよい。特に、平板ブラシ１と回転リング３を相互に異なる部材で構成すれば、低温溶着や摩耗を防止することができる効果が得られる。
また、回転リング３における平板ブラシ１との接触部分には金メッキを施すようにしてもよい。その接触部分に金メッキを施すようにした場合、金の良好な導電性と耐食性を回転リング３の母材に付与することができる。
金メッキの厚さは、望ましくは３０μｍ以上とする。また、その表面の粗さはＲｍａｘ１μｍ以下が望ましい。
絶縁スペーサ４は、例えば、絶縁性と機械的強度の点からガラス繊維を含むエポキシ系樹脂やテフロン（登録商標）樹脂、あるいは、アルミナなどのセラミック系材料を用いて構成する。
【００１８】
上記のような構成によれば、平板ブラシ１の断面形状が矩形であるため、平板ブラシ１の厚さｔを厚くすることにより、回転リング３の幅Ｗ内で、最も効率よく平板ブラシ１の断面積を稼げ、平板ブラシ１のブラシ抵抗を下げることができる。
また、平板ブラシ１を回転リング３の回転軸方向に複数並べたことにより、回転リング３が回転しているとき、平板ブラシ１と回転リング３の接触部に生じる接触電気抵抗(以下、ダイナミック抵抗という)を低減することが可能になる。
【００１９】
図２は平板ブラシ１が１枚だけ配置された場合のダイナミック抵抗の測定結果を示す説明図であり、図３は平板ブラシ１が５枚並べられた場合のダイナミック抵抗の測定結果を示す説明図である。
ただし、図２における平板ブラシ１の幅は１ｍｍであるのに対し、図３における平板ブラシ１の幅は０．２ｍｍであり、５枚分の平板ブラシ１の幅は１ｍｍである。
また、図２及び図３における平板ブラシ１は、それぞれ同等の回転リング３に対して同じ荷重で接触させられているものとする。
また、平板ブラシ１の材質はＢｅＣｕであり、回転リング３は金メッキが施された銅材からなるものとする。回転リング３の金メッキが施された面の粗さは、Ｒｍａｘ１μｍ以下としている。
【００２０】
本構成では、回転リング３と平板ブラシ１の見かけの接触面積は同じである。したがって、理想的には、両者の接触電気抵抗は概ね同じ値となると考えられる。
しかし、回転リング３の回転時のダイナミック抵抗は、図２及び図３に示すように、平板ブラシ１が１枚だけ配置されている場合より、５枚の平板ブラシ１が並べられている場合の方が著しく小さい。
【００２１】
ダイナミック抵抗の増大は、平板ブラシ１と回転リング３の接触部に摩耗粉や外部からコンタミなどが進入して介在し、平板ブラシ１と回転リング３の接触を妨げるため、導電部面積が減少することが一要因である。その他の要因として、回転リング３の摺動部表面の微小な凹凸により平板ブラシ１が振動し、回転リング３との十分な接触状態が一時的に確保できなくなるなどがある。
【００２２】
複数の平板ブラシ１が並べられている場合、個々の平板ブラシ１が回転リング３への接触方向に対して、互いに独立して動くことができる。このため、複数の平板ブラシ１のうち、いくつかの平板ブラシ１に摩耗粉や突起が介在しても、残る平板ブラシ１が回転リング３との接触を維持する。
即ち、１枚の平板ブラシ１だけが配置されている場合より、複数の平板ブラシ１が並べられている場合の方が、平板ブラシ１と回転リング３の接触部が確保される確率が高くなる。
上記のような理由から、ダイナミック抵抗の増大を防止することができる。
【００２３】
以上で明らかなように、この実施の形態１によれば、平板ブラシ１が可撓性のある導電部材で構成されるとともに、回転リング３の回転軸方向に複数並べられ、複数の平板ブラシ１が回転リング３を圧接するように、ブラシホルダー２が複数の平板ブラシ１を保持するように構成したので、摩擦粉やリング表面が摩擦することによる回転リングの表面凹凸などが存在していても、いくつかの平板ブラシ１が回転リング３に接触することで導電を確保する確率が向上し、回転中のダイナミック抵抗の増大を抑制することができる効果を奏する。
【００２４】
なお、１枚の平板ブラシ１を回転リング３の外周にわたって配置した場合にも同様の効果が得られるが、ブラシホルダー２の固定部数が多くなり、構造的に複雑となることが考えられる。
この実施の形態１では、平板ブラシ１が回転リング３の回転軸ＡＡ’方向に互いに側面を接するように３枚並べられているものについて示したが、３枚に限るものではなく、例えば、５枚以上並べるようにしてもよい。
また、この実施の形態１では、断面が矩形の平板ブラシとしたが、これに限らない。ブラシ抵抗値が所定の値を満たせば、断面が円形もしくは、楕円形でも良い。
【００２５】
実施の形態２．
上記実施の形態１では、断面形状が矩形である平板ブラシ１が回転リング３の回転軸ＡＡ’方向に並べられているものについて示したが、図４から図６に示すように、断面形状が矩形であり、かつ、平面形状が櫛形である平板ブラシ１１，１２を回転リング３の回転軸ＡＡ’方向に並べるようにしてもよい。即ち、平板の一部にスリット１１ｂが施されて、櫛部１１ａが形成されている平板ブラシ１１と、平板の一部にスリット１２ｂが施されて、櫛部１２ａが形成されている平板ブラシ１２とを、櫛部１１ａ，１２ａが交互に入り込むように配置することにより、その櫛部１１ａ，１２ａをブラシとして使用するようにしてもよい。
【００２６】
図４（ａ）は平板ブラシ１１，１２や回転リング３を上から見た平面図であり、図４（ｂ）は平板ブラシ１１，１２や回転リング３を横から見た断面図である。
また、図５は平板ブラシ１１の平面形状や側面形状を示す構成図であり、図６は平板ブラシ１２の平面形状や側面形状を示す構成図である。
【００２７】
平板ブラシ１１，１２は、図４から図６に示すように、平板ブラシ１１の櫛部１１ａが平板ブラシ１２のスリット１２ｂに入り込み、かつ、平板ブラシ１２の櫛部１２ａが平板ブラシ１１のスリット１１ｂに入り込むように配置するとともに、平板ブラシ１１，１２の櫛部１１ａ，１２ａが同一平面をなすように配置する。
この際、平板ブラシ１１，１２には屈曲部１１ｃ，１２ｃが設けられているので、平板ブラシ１１，１２は一つのブラシホルダー２に保持される。ブラシホルダー２の内部においては、平板ブラシ１１，１２は上下に積層されるように保持される。
【００２８】
なお、図４の例では、平板ブラシ１１，１２のスリット１１ｂ，１２ｂは、ブラシホルダー２内に挿入される部分まで施されているが（ブラシホルダー２の外に出ている部分の平板ブラシ１１，１２の長さｌがスリット１１ｂ，１２ｂの長さＬ１と一致している）、これに限るものではなく、例えば、ブラシホルダー２内に挿入される手前の部分まで施されていてもよいし（ｌ＞Ｌ１）、ブラシホルダー２内に固定されている部分まで施されていてもよいし（ｌ＜Ｌ１）。また、スリット１１ｂ，１２ｂの長さもＬ１に限るものではない。
ただし、スリット１１ｂ，１２ｂの長さは、平板ブラシ１１，１２を回転リング３に所定の押付力で接触させたときに、スリット１１ｂ，１２ｂが設けられた長さ分のブラシ部のたわみが、望ましくは１ｍｍ以上となるように設定されるものである。
【００２９】
以上で明らかなように、この実施の形態２によれば、断面形状が矩形であり、かつ、平面形状が櫛形である平板ブラシ１１，１２の櫛部１１ａ，１２ａが交互に入り込むように配置され、櫛部１１ａ，１２ａがブラシとして使用されるように構成したので、上記実施の形態１と同様の効果を奏する。また、上記実施の形態１のように、ブラシホルダー２が複数のブラシ１を別々に保持する必要はなく、ブラシホルダー２が複数の櫛部を有する平板ブラシ１１，１２を保持すればよく（図４の例では、上記実施の形態１のブラシ１に相当する櫛部１１ａ，１２ａが４つあるが、ブラシホルダー２は２つの平板を保持すれば足りる）、組み立てが容易になる効果を奏する。
図１に示すような平板ブラシ１の幅ｗが小さい場合に、その組み立て性が格段に容易になり、この効果が顕著になる。
また、平板ブラシ１１，１２は、一枚の板から加工されるため、回転リング３と接触する面を容易に揃えることができる効果も奏する。
【００３０】
実施の形態３．
上記実施の形態２では、平板ブラシ１１，１２に屈曲部１１ｃ，１２ｃを設けることにより、平板ブラシ１１，１２の櫛部１１ａ，１２ａの先端が同一方向を向くように配置して、一つのブラシホルダー２が平板ブラシ１１，１２を保持するものについて示したが、図７に示すように、平板ブラシ１１，１２の櫛部１１ａ，１２ａと同様の櫛部１３ａ，１４ａを有するが、屈曲部１１ｃ，１２ｃが設けられていない平板ブラシ１３，１４（平板ブラシ１３，１４の平面形状は平板ブラシ１１，１２と同じ）を互いに角度θをつけてブラシホルダー２に保持されるようにしてもよい。
図７（ａ）は平板ブラシ１３，１４や回転リング３を上から見た平面図であり、図７（ｂ）は平板ブラシ１３，１４や回転リング３を横から見た断面図である。
【００３１】
この実施の形態３によれば、上記実施の形態２と同様の効果を奏する他、上記実施の形態２のように、平板ブラシ１１，１２に屈曲部１１ｃ，１２ｃを設ける必要がないため、一枚の平らな板にスリットを施すだけで平板ブラシ１３，１４を形成することができ、加工が容易になる効果を奏する。
【００３２】
実施の形態４．
上記実施の形態２では、平板ブラシ１１，１２に屈曲部１１ｃ，１２ｃを設けることにより、平板ブラシ１１，１２の櫛部１１ａ，１２ａの先端が同一方向を向くように配置して、一つのブラシホルダー２が平板ブラシ１１，１２を保持するものについて示したが、図８に示すように、断面形状が矩形であり、かつ、平面形状が櫛形である平板ブラシ１５，１６の櫛部１５ａ，１６ａの先端が逆方向を向くように対向配置してもよい。
【００３３】
即ち、平板の一部にスリット１５ｂが施されて、櫛部１５ａが形成されている平板ブラシ１５と、平板の一部にスリット１６ｂが施されて、櫛部１６ａが形成されている平板ブラシ１６とを用意し、平板ブラシ１５の櫛部１５ａの先端を図中左方向にして、平板ブラシ１５の櫛部１５ａを平板ブラシ１６のスリット１６ｂに入れ込み、かつ、平板ブラシ１６の櫛部１６ａの先端を図中右方向にして、平板ブラシ１６の櫛部１６ａを平板ブラシ１５のスリット１５ｂに入れ込むように配置することにより、その櫛部１５ａ，１６ａをブラシとして使用する。
【００３４】
図８（ａ）は平板ブラシ１５，１６や回転リング３を上から見た平面図であり、図８（ｂ）は平板ブラシ１５，１６や回転リング３を横から見た断面図である。
なお、平板ブラシ１５，１６には、櫛部１５ａ，１６ａが設けられていない側の端部が折り曲げられており（図８（ｂ）を参照）、一つのブラシホルダー２がその折り曲げ部１５ｃ，１６ｃを保持するようにしている。
【００３５】
この実施の形態４によれば、上記実施の形態２と同様の効果を奏する他、平板ブラシ１５と平板ブラシ１６が互いに対向して配置されているため、回転リング３の回転方向が正転と逆転の２方向ある場合でも、ブラシの固定方向の影響が平均化され、安定した接触電気抵抗を得ることができる効果を奏する。
【００３６】
実施の形態５．
上記実施の形態１〜４では、複数の平板ブラシ１が回転リング３の回転軸ＡＡ’方向に並べられ、あるいは、複数の平板ブラシの櫛部を交互に入れ込むように配置されているものについて示したが、図９に示すように、平板ブラシ１、あるいは、平板ブラシ１に相当する櫛部を図中ＢＢ’方向に複数段積層するようにしてもよい。
図９（ａ）は平板ブラシ１や回転リング３を横から見た断面図であり、図９（ｂ）は図９（ａ）のＢＢ’断面図である。
【００３７】
図９の例では、平板ブラシ１（あるいは、平板ブラシ１に相当する櫛部）の上に、その平板ブラシ１と材質が同じであり、かつ、その平板ブラシ１と概ね等しい幅ｗと長さｌを有する補助平板ブラシ２１を重ねるようにしている。
例えば、平板ブラシ１の厚さがｔ１であって、補助平板ブラシ２１の厚さがｔ２であるとすると、その合計の厚さがｔ１＋ｔ２となるが、この際、平板ブラシ１及び補助平板ブラシ２１からなるブラシと、厚さがｔ１＋ｔ２の平板ブラシとを比較すると、平板ブラシ１及び補助平板ブラシ２１からなるブラシの方がたわみ剛性が低くなる。このとき、ブラシ抵抗は、ブラシの断面積が同じであることから概ね同一とすることができる。
【００３８】
したがって、平板ブラシ１及び補助平板ブラシ２１からなるブラシは、所望のブラシ接触力を得るためのブラシたわみ量に誤差や変動が生じても、ブラシの接触力に与える影響を少なくすることができる効果が得られる。即ち、組み立て時の接触力調整が容易となる効果が得られる。また、ブラシや回転リング３が摩耗し、ブラシたわみ量が減少することによるブラシ接触力の低下を少なくする効果が得られる。
【００３９】
なお、この実施の形態５では、平板ブラシ１（あるいは、平板ブラシ１に相当する櫛部）の上に、１枚だけ補助平板ブラシ２１を重ねるようにしているが、これに限るものではなく、２枚以上の補助平板ブラシ２１を重ねるようにしてもよい。
【００４０】
実施の形態６．
上記実施の形態５では、平板ブラシ１と材質が同じである補助平板ブラシ２１を重ねるものについて示したが、平板ブラシ１よりも電気導電性が高い材質からなる補助平板ブラシ２１を重ねるようにしてもよい。
【００４１】
例えば、平板ブラシ１の材質がＢｅＣｕであるとき、ＢｅＣｕより電気導電性が高いＣｕ（銅）を用いて補助平板ブラシ２１を構成してもよい。
この実施の形態６によれば、平板ブラシ１と回転リング３との摩耗・摩擦特性を維持しつつ、ＢｅＣｕのみで構成した場合よりもブラシ抵抗を低くすることができる効果を奏する。
【００４２】
実施の形態７．
上記実施の形態１〜６では、回転リング３と接触する側の平板ブラシ１（あるいは、平板ブラシ１に相当する櫛部）の面が一様に加工されているものについて示したが、図１０に示すように、回転リング３と接触する側の平板ブラシ１（あるいは、平板ブラシ１に相当する櫛部）の接触面１ａのエッジが面取りされているようにしてもよい。
即ち、平板ブラシ１の接触面１ａのエッジに曲率部１ｂを形成してもよい。
図１０は平板ブラシ１の断面形状を示す断面図である。
【００４３】
この実施の形態７によれば、回転リング３と断面矩形の平板ブラシ１が接触したとき、平板ブラシ１のエッジ部分に発生する接触面圧集中を緩和することができる。
即ち、平板ブラシ１における接触部の平板ブラシ幅方向の接触面圧分布を一様にすることができる。
これにより、平板ブラシ１の断面形状が矩形である場合に発生しやすいエッジ接触部における過度の摩耗を低減して、摩耗粉による接触電気抵抗変動を低減することができる効果を奏する。
【００４４】
実施の形態８．
上記実施の形態１〜７では、複数の平板ブラシ１（あるいは、平板ブラシ１に相当する櫛部）が回転リング３の回転軸方向に並べられているものについて示したが、図１１に示すように、複数の平板ブラシ１（あるいは、平板ブラシ１に相当する櫛部）の組を回転リングの円周方向に複数配置するようにしてもよい。
図１１はこの発明の実施の形態８によるスリップリング装置を示す断面図である。
【００４５】
図１１の例では、回転リング３の上部と接触する位置に平板ブラシ１の組を配置するとともに、回転リング３の下部と接触する位置に平板ブラシ１の組を配置しているものを示している。
また、図１１の例では、２組の平板ブラシ１とブラシホルダー２の位置関係は、回転リング３に対して、線対称の関係となるように配置している。
なお、すべての平板ブラシ１は、電気的に並列接続となるように図示せぬ導線により接続されている。
【００４６】
以上で明らかなように、この実施の形態８によれば、２組の平板ブラシ１が一つの回転リング３に対して電気的に並列に接触しているため、接触電気抵抗とブラシの抵抗値が、上記実施の形態１〜７の略半分になる効果が得られる。
また、２組の平板ブラシ１が互いに線対称に配置されているため、回転リング３の回転方向が正転、逆転のいずれであっても、電気特性が平均化される効果が得られる。
【００４７】
なお、この実施の形態８では、２組の平板ブラシ１が一つの回転リング３に配置されているものについて示したが、３組以上の平板ブラシ１が一つの回転リング３に配置されていてもよく、同様の効果を奏することができる。
【図面の簡単な説明】
【００４８】
【図１】この発明の実施の形態１によるスリップリング装置を示す斜視図である。
【図２】平板ブラシが１枚だけ配置された場合のダイナミック抵抗の測定結果を示す説明図である。
【図３】平板ブラシが５枚並べられた場合のダイナミック抵抗の測定結果を示す説明図である。
【図４】（ａ）は平板ブラシや回転リングを上から見た平面図である。（ｂ）は平板ブラシや回転リングを横から見た断面図である。
【図５】平板ブラシの平面形状や側面形状を示す構成図である。
【図６】平板ブラシの平面形状や側面形状を示す構成図である。
【図７】（ａ）は平板ブラシや回転リングを上から見た平面図である。（ｂ）は平板ブラシや回転リングを横から見た断面図である。
【図８】（ａ）は平板ブラシや回転リングを上から見た平面図である。（ｂ）は平板ブラシや回転リングを横から見た断面図である。
【図９】平板ブラシや回転リングを横から見た断面図である。（ｂ）は（ａ）のＢＢ’断面図である。
【図１０】平板ブラシの断面形状を示す断面図である。
【図１１】この発明の実施の形態８によるスリップリング装置を示す断面図である。
【符号の説明】
【００４９】
１  平板ブラシ、１ａ  接触面、１ｂ  曲率部、２  ブラシホルダー、３  回転リング、４  絶縁スペーサ、５  固定フレーム、１１  平板ブラシ、１１ａ  櫛部、１１ｂ  スリット、１１ｃ  屈曲部、１２  平板ブラシ、１２ａ  櫛部、１２ｂ  スリット、１２ｃ  屈曲部、１３  平板ブラシ、１３ａ  櫛部、１４  平板ブラシ、１４ａ  櫛部、１５  平板ブラシ、１５ａ  櫛部、１５ｂ  スリット、１５ｃ  折り曲げ部、１６  平板ブラシ、１６ａ  櫛部、１６ｂ  スリット、１６ｃ  折り曲げ部、２１  補助平板ブラシ。
【図１】
2005228522.tif 000003
【図２】
2005228522.tif 000004
【図３】
2005228522.tif 000005
【図４】
2005228522.tif 000006
【図５】
2005228522.tif 000007
【図６】
2005228522.tif 000008
【図７】
2005228522.tif 000009
【図８】
2005228522.tif 000010
【図９】
2005228522.tif 000011
【図１０】
2005228522.tif 000012
【図１１】
2005228522.tif 000013